(57)【特許請求の範囲】
【請求項１】
上下方向に並設された複数の移動棚板を有し、前記移動棚板はスライドして引出し可能に支持され、前記移動棚板は底部材と一方の側壁部材を有し、移動棚板が引き出された引出位置で折り畳み自転車を載せ、その後移動棚板を収納位置まで押し込むことにより、折り畳み自転車を折りたたんだ状態で収納することができ、
移動棚板にはひも状の緊縛部材が設けられ、当該緊縛部材によって折り畳み自転車を側壁部材側に押しつけて前記自転車を固定することができ、
前記移動棚板には緊縛部材係合部が設けられ、前記緊縛部材係合部の位置は底部材の上側、かつ、側壁部材と反対側の端部であることを特徴とする折り畳み自転車の収納棚。
【請求項２】
前記緊縛部材は、伸縮可能、又は、長さ調節が可能であることを特徴とする請求項１に記載の折り畳み自転車の収納棚。
【請求項３】
移動棚板の底部材及び側壁部材は、開口を有しない、或いは、自転車の部材が抜けない程度の開口を有し、折り畳み自転車の収納する際には自転車の部材が嵌ることがないことを特徴とする請求項１又は２に記載の折り畳み自転車の収納棚。
【請求項４】
錠部材が設けられ、錠部材によって折り畳み自転車と、折り畳み自転車の収納棚とを連結することができることを特徴とする請求項１〜３のいずれかに記載の折り畳み自転車の収納棚。
【請求項５】
錠部材には連結部が設けられ、連結部は折り畳み自転車に設けられた係合部と係合可能であることを特徴とする請求項４に記載の折り畳み自転車の収納棚。
【請求項６】
錠部材が設けられ、錠部材を移動棚板が収納位置において施錠すると移動棚板をスライド不能することができ、移動棚板の位置が収納位置の場合には折り畳み自転車が出し入れできないものであることを特徴とする請求項１〜３のいずれかに記載の折り畳み自転車の収納棚。
【請求項７】
錠部材には、情報入力部と、施解錠を制御する制御部を有し、前記制御部は情報入力部から入力された情報を元にして利用者情報を識別する利用者識別手段と、前記利用者識別手段で識別された利用者情報に基づいて解錠のための一定の条件を満たすか否かの判断を行う解錠判断手段と、前記解錠判断手段によって解錠すると判断した場合に前記制御部に解錠させる解錠指示手段を有することを特徴とする請求項６に記載の折り畳み自転車の収納棚。
【請求項８】
錠部材は、硬貨投入口と、施解錠を制御する制御部を有し、前記制御部は、硬貨投入口に投入された硬貨の種類及び数を識別する硬貨識別手段と、前記硬貨識別手段により得られた情報により解錠するか否かの判断を行う解錠判断手段と、前記解錠判断手段によって解錠すると判断した場合に前記制御部に解錠させる解錠指示手段を有することを特徴とする請求項６又は７に記載の折り畳み自転車の収納棚。
【請求項９】
前記制御部は、複数の折り畳み自転車の施解錠を制御できることを特徴とする請求項７に記載の折り畳み自転車の収納棚。
【請求項１０】
請求項７又は９に記載の折り畳み自転車の収納棚を複数の異なる場所に設け、利用者が情報入力部に情報を入力すると、条件を満たす利用者のみが錠部材の解錠を行うことができることを特徴とする折り畳み自転車の収納管理方法。
【発明の詳細な説明】
【０００１】
【発明の属する技術分野】
本発明は、折り畳み自転車の置き場を確保し、省スペースで置くことのできる折り畳み自転車の収納棚に関するものである。また、折り畳み自転車の置き場の管理に用いられる折り畳み自転車の管理方法に関するものである。
【０００２】
【従来の技術】
従来より、折り畳み式自転車が用いられている。折り畳み式自転車は、自転車の未使用時に中心付近を折り畳むことにより全長を短くすることが可能なものであり、自動車に載せて移動する場合などには、通常の自転車に比べて容易に取り扱うことができる。
【０００３】
しかしながら、複数の折り畳み式自転車を折り畳んで保管をすることはない。すなわち、自転車置き場は、折り畳むことのできない通常の自転車（以下通常の自転車という）に合わせられて作られており、折り畳み自転車も折り畳まない状態で保管されていた。
また、個人の住宅などで、折り畳み自転車を複数有する場合でも、折り畳んで保管されることは少なく、通常の自転車と同様のスペースを要していた。
【０００４】
また、登録実用新案公報第３０１１５１２号において、折り畳み自転車の収納棚が開示されている。この折り畳み自転車の収納棚は、前後方向にスライド可能である枠状の自転車載置台を上下に複数並設し、自転車載置台の両側面（前後方向に平行な両側の側面）にガイドが設けられている。そして、折り畳み自転車を自転車載置台に載せて収納し、前記ガイドにより保管時に転倒を防止するものである。そして、多数の折り畳み自転車の整理整頓が図られるものである。
【０００５】
【発明が解決しようとする課題】
しかしながら、前記した従来技術の折り畳み自転車の収納棚は、実際に使い勝手が悪いものであった。すなわち従来技術の折り畳み自転車の収納棚は、スライド方向と平行な両側の側面にガイドが設けられているので、自転車を前後方向に押し込む必要があり、棚に自転車を入れにくい。また、従来技術では、収納棚の手前側に広いスペースが必要があった。
【０００６】
さらに従来技術の折り畳み自転車の収納棚では、自転車載置台が、枠状となっているので、自転車のタイヤの大きさによっては自転車載置台に載せにくく、タイヤがは嵌まり込んでしまう場合があった。また従来技術の折り畳み自転車の収納棚では、自転車を収納する際に相対的に重いタイヤ側を先にして載せなければならない。
また折り畳み自転車は、折り畳んだ後の大きさ、形状、タイヤやサドル等の位置などが規格化されておらず、各種のものが混在するから、収納棚では、色々なものに対して対応可能であることが必要であるが、従来技術の収納棚は、左右にガイドがあるために幅方向の自由度が小さい。
【０００７】
さらに、通勤や通学などに用いられる自転車の駅などにおける保管の問題は、社会問題となっており、より多くの折り畳み自転車を収納し、また、効率よく収納してより多くの自転車を使用することのできることができれば、放置自転車の問題の解決も図ることができる。
そして、通勤や通学の手段として、折り畳み自転車の利用を促進することができれば、自動車やバスなどの内燃機関の使用を低減して、ＣＯ2 の排出を削減することができる。
【０００８】
そこで、本発明は、折り畳み自転車の置き場を確保し、自転車の大きさに関わらず、出し入れが容易で省スペースで置くことのできる折り畳み自転車の収納棚を提供するものである。また、より多くの折り畳み自転車を収納し、効率よく収納してより多くの自転車を使用することのできる折り畳み自転車の置き場の管理方法を提供するものである。
【０００９】
【課題を解決するための手段】
そして、上記した目的を達成するための請求項１の発明は、上下方向に並設された複数の移動棚板を有し、前記移動棚板はスライドして引出し可能に支持され、前記移動棚板は底部材と一方の側壁部材を有し、移動棚板が引き出された引出位置で折り畳み自転車を載せ、その後移動棚板を収納位置まで押し込むことにより、折り畳み自転車を折りたたんだ状態で収納することができる折り畳み自転車の収納棚である。
【００１０】
請求項１に記載の発明によれば、折り畳み自転車を上下方向に収納可能であり、また前後方向にスライド可能な移動棚板が引き出された状態で折り畳み自転車を載せて、その後移動棚板を押し込んで収納することができる。また、移動棚板の側壁部材は移動棚板の一方に設けられるので、出し入れの際には他方の側面から出し入れできる。
【００１１】
また請求項１に記載の発明は、移動棚板にはひも状の緊縛部材が設けられ、当該緊縛部材によって折り畳み自転車を側壁部材側に押しつけて前記自転車を固定することを特徴とする折り畳み自転車の収納棚である。
【００１２】
請求項１に記載の発明によれば、緊縛部材によって折り畳み自転車を側壁部材側に押しつけて前記自転車を固定することができるので、収納の際に折り畳み自転車が倒れることがなく、出し入れの際には、緊縛部材の一方を取り外すことにより、容易に密着状態を解くことができる。
【００１３】
請求項２に記載の発明は、前記緊縛部材は、伸縮可能、又は、長さ調節が可能であることを特徴とする請求項１に記載の折り畳み自転車の収納棚である。
【００１４】
請求項２に記載の発明によれば、緊縛部材は、伸縮可能、又は、長さ調節が可能であるので、異なる大きさの折り畳み自転車でも緊縛することができる。
【００１５】
請求項１に記載の発明は、前記移動棚板には緊縛部材係合部が設けられ、前記緊縛部材係合部の位置は底部材の上側、かつ、側壁部材と反対側の端部であることを特徴とする折り畳み自転車の収納棚である。
【００１６】
請求項１に記載の発明によれば、緊縛部材の係合部が壁面と反対側の端部にあるので、幅の大きい折り畳み自転車でも緊縛することができる。また、緊縛部材係合部は側壁部材と反対側であるので、折り畳み自転車を収納した場合に緊縛部材係合部は自転車の手前側に位置し、緊縛部材を係合しやすい。
【００１７】
請求項３に記載の発明は、移動棚板の底部材及び側壁部材は、開口を有しない、或いは、自転車の部材が嵌ることがない程度の開口を有し、折り畳み自転車の収納する際には自転車の部材が嵌ることがないことを特徴とする請求項１又は２に記載の折り畳み自転車の収納棚である。
【００１８】
請求項３に記載の発明によれば、移動棚板の底部材及び側壁部材は、折り畳み自転車の収納する際には自転車の部材が嵌ることがないので、自転車の取り出しが容易である。
【００１９】
請求項４に記載の発明は、錠部材が設けられ、錠部材によって折り畳み自転車と、折り畳み自転車の収納棚とを連結することができることを特徴とする請求項１〜３のいずれかに記載の折り畳み自転車の収納棚である。
【００２０】
請求項４に記載の発明によれば、錠部材が設けられ、錠部材によって折り畳み自転車と、折り畳み自転車の収納棚とを連結することができるので、他人の出入りするような場所に折り畳み自転車の収納棚を設置しても、折り畳み自転車を盗まれることがない。
【００２１】
請求項５に記載の発明は、錠部材には連結部が設けられ、連結部は折り畳み自転車に設けられた係合部と係合可能であることを特徴とする請求項４に記載の折り畳み自転車の収納棚である。
【００２２】
請求項５に記載の発明によれば、錠部材に設けられた連結部によって容易に折り畳み自転車と連結することができる。また、連結部にセンサーなどを設けることにより、折り畳み自転車の収納状態を容易に確認することができる。
【００２３】
請求項６に記載の発明は、錠部材が設けられ、錠部材を移動棚板が収納位置において施錠すると移動棚板をスライド不能することができ、移動棚板の位置が収納位置の場合には折り畳み自転車が出し入れできないものであることを特徴とする請求項１〜３のいずれかに記載の折り畳み自転車の収納棚である。
【００２４】
請求項６に記載の発明によれば、折り畳み自転車を収納する際に、錠部材を施錠することで、移動棚板がスライドせず、折り畳み自転車を収納している際に誤って移動棚板がスライドすることが無く安全である。
【００２５】
請求項７に記載の発明は、錠部材には、情報入力部と、施解錠を制御する制御部を有し、前記制御部は情報入力部から入力された情報を元にして利用者情報を識別する利用者識別手段と、前記利用者識別手段で識別された利用者情報に基づいて解錠のための一定の条件を満たすか否かの判断を行う解錠判断手段と、前記解錠判断手段によって解錠すると判断した場合に前記制御部に解錠させる解錠指示手段を有することを特徴とする請求項６に記載の折り畳み自転車の収納棚である。
【００２６】
請求項７に記載の発明によれば、利用者識別手段によって利用者を識別し、解錠判断手段により一定の条件を満たすか否かの判断をして、解錠指示手段によって、制御部に解錠させることができるので、利用者を選択して解錠させることができる。
【００２７】
請求項８に記載の発明は、錠部材は、硬貨投入口と、施解錠を制御する制御部を有し、前記制御部は、硬貨投入口に投入された硬貨の種類及び数を識別する硬貨識別手段と、前記硬貨識別手段により得られた情報により解錠するか否かの判断を行う解錠判断手段と、前記解錠判断手段によって解錠すると判断した場合に前記制御部に解錠させる解錠指示手段を有することを特徴とする請求項６又は７に記載の折り畳み自転車の収納棚である。
【００２８】
請求項８に記載の発明によれば、硬貨識別手段により硬貨投入口に投入された硬貨の種類及び数を識別し、解錠判断手段により一定の条件を満たすか否かの判断をして、解錠指示手段によって解錠させることができるので、所定の硬貨を投入した利用者のみが解錠することができ、無人で利用料の集金をすることができる。
【００２９】
請求項９に記載の発明は、前記制御部は、複数の折り畳み自転車の施解錠を制御できることを特徴とする請求項７に記載の折り畳み自転車の収納棚である。
【００３０】
請求項９に記載の発明によれば、制御部は、複数の折り畳み自転車の施解錠を制御できるので、折り畳み自転車の収納棚を安価に製造することができ、また折り畳み自転車の収納棚の大きさをさらに小さくすることができる。
【００３１】
請求項１０に記載の発明は、請求項７又は９に記載の折り畳み自転車の収納棚を複数の異なる場所に設け、利用者が情報入力部に情報を入力すると、条件を満たす利用者のみが錠部材の解錠を行うことができることを特徴とする折り畳み自転車の収納管理方法である。
【００３２】
請求項１０に記載の発明によれば、折り畳み自転車の収納棚を複数の異なる場所に設け、利用者が情報入力部に情報を入力すると、条件を満たす利用者のみが錠部材の解錠を行うことができるので、利用者は、折り畳み自転車の収納棚が設置されたいずれの場所でも、折り畳み自転車が利用可能となる。また、異なる利用者が共通の折り畳み自転車を使用することが可能となり、折り畳み自転車を収納する数の低減が図ることができる。
【００３３】
【発明の実施の形態】
以下さらに本発明の具体的実施例について説明する。図１は、本発明の第１の実施形態における折り畳み自転車の収納棚の斜視図である。図２は、本発明の第１の実施形態における折り畳み自転車の収納棚の分解した状態での斜視図である。図３は、本発明の第１の実施形態における折り畳み自転車の収納棚に折り畳み自転車を載せる際の状態を示した斜視図である。図４は、本発明の第１の実施形態における折り畳み自転車の収納棚に折り畳み自転車を載せた状態での斜視図である。図５は、本発明の第１の実施形態における折り畳み自転車の収納棚の変形例の斜視図である。図６は折り畳み自転車の収納棚に収納される折り畳み自転車の使用状態を示した斜視図である。図７は折り畳み自転車の収納棚に収納される折り畳み自転車を折り畳んだ状態を示した斜視図である。図８は折り畳み自転車の収納棚に収納される折り畳み自転車の折り畳んだ状態で、車輪固定部材を設けて車輪を固定した時の斜視図である。図９は、本発明の第２の実施形態における折り畳み自転車の収納棚の斜視図である。図１０は、本発明の折り畳み自転車の収納管理方法の、折り畳み自転車の収納棚の設置状態を示した模式図である。図１１は、本発明の第３の実施形態における折り畳み自転車の収納棚の斜視図である。図１２（ａ）は、本発明の第１の実施形態の錠部材の変形例における折り畳み自転車の収納棚の斜視図である。図１２（ｂ）は、上記変形例に使用される折り畳み自転車を示した斜視図である。
【００３４】
本発明の第１の実施形態である折り畳み自転車の収納棚１は、図１に示され、支持部材１０及び２つの移動棚板１１から成る本体部６と、本体部６に取り付けられた錠部材１５を有している。そして、２つの移動棚板１１は、上下方向に並設されて支持部材１０により支持されるものであり、各移動棚板１１が前後方向であって水平方向にスライド可能となっている。さらに、図２に示されるように、支持部材１０と移動棚板１１を分離することができる。
なお、図１〜図４における右前側を「前側」、左後側を「後側」、左前側を「左側」右後側を「右側」として説明する。
【００３５】
また、本願の折り畳み自転車の収納棚１は、図６に示される折り畳み自転車１２０を収納することができるものである。折り畳み自転車１２０には、２カ所の折り畳み部１２２，１２３を有している。折り畳み部１２２は折り畳み自転車１２０の中間付近のトップチューブ付近に位置し、折り畳み部１２２により全体を前後方向に折り畳むことができ、折り畳み部１２３はヘッドチューブ付近に位置し、折り畳み部１２３によってハンドルバー１２５を折り畳むことができ、図７に示すような形状とすることができる。なお、折り畳み自転車１２０のスポーク，泥よけ，ブレーキレバー，ブレーキケーブル等の部品は省略して図示している。なお、本願で収納される折り畳み自転車は、上記のものに限られるものでない。
【００３６】
支持部材１０は、図２に示されるように、前後方向の長さが横方向よりも長い直方体の形をした枠状である。そして支持部材１０は、前記直方体の各辺と、支持部材１０の高さ方向の中間部に水平方向に設けられている。正確には支持部材１０は、２つの直方体を２段上下に積み重ねた様な枠状である。
そして、支持部材１０の大きさは、高さが９０ｃｍ〜１８０ｃｍであり、好ましくは、１１０ｃｍ〜１４０ｃｍであることが望ましい。また、前後方向の長さは、５０ｃｍ〜１１０ｃｍであり、好ましくは６０ｃｍ〜８０ｃｍであることが望ましい。そして、幅は３０ｃｍ〜８０ｃｍであり、好ましくは４０ｃｍ〜６０ｃｍであることが望ましい。これらの大きさは、設置数などによって適宜大きさを変更することも可能である。
【００３７】
また、支持部材１０には、スライドガイド部１９が設けられている。スライドガイド部１９は、移動棚板１１をスライド可能に保持するための部材である。スライドガイド部１９は断面が略「コ」字状の長尺状であり、開口側は溝２０となっている。そして、スライドガイド部１９の長尺方向が前後方向となるように、「コ」字状の開口が内側に向けられている。スライドガイド部１９は、左右の両側に２本で１組となり、溝２０が内側に向けられて対向し、１つの移動棚板１１を保持する。本実施例においては４本のスライドガイド部１９が設けられている。また、スライドガイド部１９の高さ方向の位置は、支持部材１０の下端付近と高さ方向の中間部付近である。スライドガイド部１９と移動棚板１１の間にローラを取り付けてスライドを容易にすることもできる。
なお、支持部材１０の枠部材１８及びスライドガイド部１９は、図示しない締結部材により固定されている。
【００３８】
移動棚板１１は、板状の底面載置部２３と、底面載置部２３と垂直に接続している板状の側面ガイド部（側壁部材）２４により構成され、折り畳み自転車の収納棚１の使用の際には、底面載置部２３に折り畳み自転車が載せられる。また、移動棚板１１を前側から見ると逆「Ｌ」字状であり、側面ガイド部２４は右側に位置している。
移動棚板１１の底面載置部２３は長方形の板状であり、支持部材１０の底面よりやや小さい。そして底面載置部２３の横方向の幅は、支持部材１０のスライドガイド部１９の溝２０内部同士の距離よりもやや短い。また、側面ガイド部２４は長方形の板状であり、前方の上側には三角形の切り欠き部２４ａが設けられている。側面ガイド部２４の上下方向の長さは支持部材１０の高さの半分よりやや小さく、前後方向の長さは支持部材１０の前後方向の長さよりもやや短い。そして、側面ガイド部２４と底面載置部２３はＬ字状のＬ字金具２６により固定されている。
本実施形態では、底面載置部２３及び側面ガイド部２４は開口のない板状であったが、自転車の部材が嵌ることのなければ開口のあるものでも良く、例えば、パンチングボードや、網状であってもよい。
【００３９】
移動棚板１１の上側には棒状であり長尺方向が左右方向に向いているスライド用取っ手２８が設けられている。そして、前記スライド用取っ手２８を持ち前後に押し引きすることで移動棚板１１をスライドすることができる。スライド用取っ手２８は、底面載置部２３の手前側に位置している。なお、移動棚板１１のスライド用取っ手２８は、取り付けていなくても構わない。
【００４０】
また、移動棚板１１には、緊縛部材２７が設けられている。緊縛部材２７は、伸縮可能なゴムひもであり、一方の端部は側面ガイド部２４の内側で固定されている。他方の端部はフック３０が設けられ、後述する緊縛部材係合部２９に引っかけて接続できる。緊縛部材２７は適度な可とう性を有しており、また適度に伸びる。緊縛部材２７は、バックルが設けられたベルトのように、適当な長さに調節できるひも状の部材でも良い。
そして、底面載置部２３の上側であって、側面ガイド部２４の反対側には、緊縛部材係合部２９が設けられている。縛部材固定部２９の形状は、「コ」の字型であり、その端部が底面載置部２３に固定されている。また、縛部材固定部２９は小さく、縛部材固定部２９の高さは、移動棚板１１の側面ガイド部２４の高さの１／５以下であり、折り畳み自転車１２０を側面から出し入れする際にも邪魔になることはない。
【００４１】
折り畳み自転車１２０を収納する場合には、緊縛部材２７のフック３０を緊縛部材係合部２９に引っかけて、折り畳み自転車１２０を側面ガイド部２４に密着させる。すなわち、緊縛部材２７の一方は、側面ガイド部２４の外側で固定され、他方はフック３０により緊縛部材係合部２９に引っかけられているので、折り畳み自転車１２０は緊縛部材２７に押さえられて側面ガイド部２４に密着する。
【００４２】
また、錠部材１５は、錠本体部１２とワイヤー部１３により構成されており、錠本体部１２には鍵穴１４と接続穴（図示せず）設けられている。そして、ワイヤー部１３は、折り畳み自転車１２０の一部に通してさらにワイヤー部１３の先端部を錠本体部１２の接続穴に挿入して、折り畳み自転車の収納棚１と折り畳み自転車１２０を外れないようにすることが可能な長さであり、また、鍵穴１４に合い鍵（図示せず）を挿入して、ワイヤー部１３と接続穴との接続を外すことができる。
【００４３】
本実施形態の折り畳み自転車の収納棚１は、前記した支持部材１０に２つの移動棚板１１を挿入して組み立てられる。このとき、移動棚板１１の底面載置部２３の左右の側縁部が、支持部材１０のスライドガイド部１９の溝２０付近となるようにして、後側にスライドさせて挿入して折り畳み自転車の収納棚１が完成する。すなわち、底面載置部２３の左右の側縁を溝２０同士の間に入れて保持させる。したがって、移動棚板１１は、前後方向以外にはほとんど移動しない。また、移動棚板１１を挿入後に、移動棚板１１が支持部材１０から外れ落ちないようにするためのストッパーを設けても良い。
【００４４】
次に、折り畳み自転車の収納棚１を用いての、折り畳み自転車１２０の収納及び取り出し方法について説明する。
折り畳み自転車１２０を収納する場合には、移動棚板１１が引き出された状態である引出位置で行われ、折り畳まれて図７の様な状態となった折り畳み自転車１２０を移動棚板１１の底面載置部２３の上に載せる。このとき、折り畳み自転車１２０を、前から見て左側又（側面ガイド部が無い側）は前側から載せることが可能である。特に、移動棚板１１を引き出して、前から見て左側（図３の矢印方向）から折り畳み自転車１２０を載せることができるので、前後にスペースが無くても容易に収納ができ、また折り畳み自転車１２０を横から載せることができるので収納しやすい。
【００４５】
このとき、車輪固定部材４５を用いて、折り畳み自転車１２０の車輪同士を固定しても良い。車輪固定部材４５は、図８に示されるように、固定部兼鍵部４７が設けられ、固定部兼鍵部４７を締結することによってリング状とすることができる。そのため固定部兼鍵部４７をリング状にして車輪１２６同士を寄せることができる。収納時に車輪固定部材４５を用いて車輪１２６同士を寄せて固定しておくと、折り畳み自転車１２０が転倒しにくい。
【００４６】
そして、緊縛部材２７を側面ガイド部２４の上側から折り畳み自転車１２０の上側を通過させて、緊縛部材２７が折り畳み自転車１２０の外側となるようにして、緊縛部材２７のフック３０を緊縛部材係合部２９に引っかける。そうすると、上記したように、緊縛部材２７に折り畳み自転車１２０が押されて、折り畳み自転車１２０は側面ガイド部２４側に移動して密着する。したがって、収納後には折り畳み自転車１２０が転倒することが無く安全である。
【００４７】
折り畳み自転車１２０を底面載置部２３の上に載せた状態で、スライド用取っ手２８等を持って、収納位置まで押し込むと、移動棚板１１が支持部材１０の内部に収まる。そして図４に示されるような状態となり、折り畳み自転車の収納棚１には、上下二段に折り畳み自転車１２０を収納することができる。
さらに、移動棚板１１を上下に３段又はそれ以上設けることも可能である。この場合には、同じ面積でより多くの自転車の収納することができる。
【００４８】
そして、上記のように折り畳み自転車１２０を収納した状態で錠部材１５により鍵をかける。具体的には、錠部材１５のワイヤー部１３を、折り畳み自転車１２０の車輪の隙間などに挿入して、ワイヤー部１３の端部を錠本体部１２に挿入して、施錠する。そうすると、折り畳み自転車１２０と折り畳み自転車の収納棚１とが連結し、解錠しないと取り出しができないので、折り畳み自転車の収納棚１を戸外に設置しても折り畳み自転車１２０を他人に盗まれることがない。
【００４９】
本実施形態の錠部材の変形例として、図１２に示される様に、折り畳み自転車１２０には、係合部として機能するワイヤー部１３ａを設け、また、折り畳み自転車の収納棚に、連結部１２ａを折り畳み自転車の収納棚１に設ける構成でもよい。そして、折り畳み自転車１２０を収納して施錠する際には、ワイヤー部１３ａの先端に連結部１２ａに係合させて、折り畳み自転車１２０と折り畳み自転車の収納棚とを連結する。
【００５０】
また、図５に示されるように、折り畳み自転車の収納棚１の後側に網状体４８を設けることもできる。そして、網状体４８を設けることにより、折り畳み自転車１２０の収納時に、後側に落ちることを防ぐことができる。
【００５１】
本発明の第２の実施形態における折り畳み自転車の収納棚２は、図９に示され、本体部６、錠部材１６及び囲み板部材４３が設けられている。
本体部６は、第１の実施形態の折り畳み自転車の収納棚１と同様なものが用いられる。錠部材１６は、折り畳み自転車の収納棚１の錠部材１５と異なり、後述する扉部材４２は固定される。
【００５２】
囲み板部材４３は、折り畳み自転車の収納棚２の全体を覆い、さらに、折り畳み自転車１２０が収納される各収納部分８１を仕切っている。そして、囲み板部材４３は本体部６に固定されている。
また、囲み板部材４３には扉部材４２が設けられている。扉部材４２は、各収納部分８１の前側に位置して開閉することができる。移動棚板１１は、扉部材４２が開いている状態で、前後にスライドすることができる。そして、前記錠部材１６により施錠すると扉部材４２が固定されるので、移動棚板１１がスライドできず、折り畳み自転車１２０の出し入れができない。
【００５３】
錠部材１６は各収納部８１ごとに設けられ、硬貨投入口４０と、情報入力部たるカード読み取り部４１と、図示しない制御部を有している。そして、錠部材１６の施解錠の制御は制御部により制御され、制御部は、硬貨識別手段及び利用者識別手段、解錠判断手段及び解除指示手段が設けられている。錠部材１６の解錠する場合には、硬貨投入口４０に硬貨を投入し、又はカード読み取り部４１に情報が入力された磁気カード（図示せず）を読みとらせることにより行う。なお、本実施形態においては、カード読み取り部４１に情報を入力する読みとらせる記録媒体はとして磁気カードを用いたがこれに限らず、ＩＣカード等の公知のものを用いることができる。
【００５４】
まず、硬貨投入口４０に硬貨を投入して錠部材１６の解錠を行う場合には以下の通りとなる。
硬貨投入口４０から硬貨を投入すると、内部に有する硬貨識別手段によって、硬貨投入口から投入された硬貨の種類及び数を識別する。そして、解錠判断手段によって、あらかじめ設定が設定された額に達したかどうかを判断する。そして、解錠判断手段により設定された額に達したと判断されると、解除指示手段によって錠部材１６が解錠される。
【００５５】
また、カード読み取り部４１に情報が入力された磁気カードを読みとらせることにより、錠部材１６の解錠を行う場合は以下の通りとなる。
磁気カードには、利用者情報が入力されており、情報入力部であるカード読み取り部４１に磁気カードを読みとらせると、利用者情報を識別する（利用者識別手段）。そして、解錠判断手段により、解錠のための一定の条件を満たすか否かの判断を行う。この一定の条件として、例えば、利用者の利用回数が一定回数以下、利用者の利用時間が一定時間以下、利用者が現に利用中でない等がある。そして、解錠判断手段により条件を満たすと判断されると、解除指示手段によって錠部材１６が解錠される。
【００５６】
第２の実施形態における折り畳み自転車の収納棚２を用いた場合には、硬貨や利用者情報が入力された磁気カードにより、解錠が可能となるので、不特定多数の利用者が用いる場合には、容易に管理することができる。また、折り畳み自転車の収納棚２を他人の自転車の置き場として提供するために用いる場合でも、容易に管理することができる。
また、折り畳み自転車の収納棚２には扉部材４２が設けられていたが、第１の実施形態における折り畳み自転車の収納棚１のように、扉部材を設けず、錠部材がワイヤー部と錠本体部によって構成されていてもよい。
【００５７】
本発明の第３の実施形態における折り畳み自転車の収納棚３は、図１１に示されている。そして、折り畳み自転車の収納棚３は、第２の実施形態における折り畳み自転車の収納棚２と同様に、扉部材４２が設けらた囲み板部材４３を有し、本体部６の内部に設けられた移動棚板１１に折り畳み自転車１２０を収納することができる。
【００５８】
さらに、折り畳み自転車の収納棚３の錠部材５０は、各収納部８１ごとに設けられた錠本体部（図示せず）と、前記の複数の錠本体部の施解錠を集中して制御する集中制御部５５から成る。
集中制御部５５には、カード挿入部５１、入力キー５２及び表示画面５３が設けられている。そして、折り畳み自転車の収納棚３の利用者が、所定のカードをカード挿入部５１に挿入し、入力キー５２により所定の番号を入力して情報を入力して、その結果、図示しない制御部により判断されて解錠される。具体的には、折り畳み自転車の収納棚３を管理するものが発行したプリペイドカード等をカード挿入部５１に挿入し、入力キー５２により棚番号や利用者の番号を入力して行われる。そうすると、指定した棚番号を解錠して折り畳み自転車１２０の収納・取り出しを行うことができる。
【００５９】
また、折り畳み自転車の収納棚３に折り畳み自転車１２０を収納する際に、上記カードに情報の書き込みを行い、折り畳み自転車１２０を収納した利用者が再び折り畳み自転車１２０を解錠して取り出す場合、カードをカード挿入部５１に挿入したときに前記の書き込みの情報により利用者を識別する手段として用いることもできる。
【００６０】
次に、前記した折り畳み自転車の収納棚２，３を用いて行われる折り畳み自転車の収納管理方法について説明する。本方法は、駅前などに折り畳み自転車の収納棚を設置して、個人などが所有する折り畳み自転車の置き場の提供を行う場合に用いる方法に用いられる。
【００６１】
本方法では折り畳み自転車の収納棚２，３を異なる場所に、複数配置している。設置場所の例としては、図１０に示されるように、駅９１，９２，９３、役所８８及び観光地８９付近等であり利用者が自転車を乗り降りする場所であればどこでも良い。利用者の自宅８５，８６や職場８７にも折り畳み自転車の収納棚を設けても良い。
また、解除指示手段として機能するコンピュータ４６が設けられ、上記の設置場所の内、駅９１，９２，９３、役所８８及び観光地８９付近の折り畳み自転車の収納棚２の錠部材１６の錠本体部１２及びカード読み取り部４１と通信部７０により接続されて所定の情報を送受信することができる。この通信部７０は、有線でも無線でも良く、また公衆回線を用いても良い。
【００６２】
そして、本方法では、定期的に利用する利用者は、利用者情報や利用条件（利用回数、利用期間）などの情報が登録されている。そして、利用者には利用者が識別可能な、登録番号等の情報を有する磁気カードなどの記録媒体が貸与され、前記登録番号と前記登録情報がコンピュータ４６に入力されている。
【００６３】
利用者が折り畳み自転車１２０を利用する場合は、貸与された磁気カードなどの記録媒体をカード読み取り部４１に通す。そうすると、利用者の情報が読みとられて、前記した通信部７０を通じて、コンピュータ４６にデータが送信され、利用者を識別する。
そして、登録情報を照合して、錠部材１６の解錠を行うかどうかの判断を行う。具体的には、利用者が利用条件の制限を越える使用を行っていないかどうかを判断し、条件を満たす場合には、通信部７０を通じて解錠を行うよう錠部材１６に指示される。
【００６４】
また、錠部材１６の解錠は、硬貨の投入によっても行うことができる。具体的には、硬貨投入口４０に硬貨を投入すると、内部に有する硬貨識別手段により金額を判断し、一定の金額以上となると、錠部材１６の解錠がされる。
【００６５】
上記した折り畳み自転車の収納管理方法を用いると、利用者は折り畳み自転車１２０の置き場所が確保でき、特に、折り畳み自転車用の収納棚を用いているので、通常の自転車に比べてより多くの自転車を置くことが可能となる。
【００６６】
また、折り畳み自転車の収納棚に収納された折り畳み自転車の貸し出しを行う方法、いわゆるレンタサイクルに用いる場合にも、図１０に示されるように、折り畳み自転車の収納棚２，３を異なる場所に複数配置して行うことにより可能となる。この方法によれば、利用者は折り畳み自転車１２０を所有することなく、折り畳み自転車の収納棚２が設けられた間を行き来することができ、共通の折り畳み自転車１２０を大勢の者が利用することができ、より多くの折り畳み自転車１２０を使用することができる。
そして、折り畳み自転車の収納棚３を使用し、プリペイドカードによって折り畳み自転車の収納棚の解錠を行うこともできる。この場合には、合い鍵が不要であり合い鍵の紛失の心配が無く、集金業務を効率的に行うことができる。
また、図１２に示されるような折り畳み自転車の収納棚を用い、折り畳み自転車１２０には、係合部として機能するワイヤー部１３ａを設けてもよい。さらに、折り畳み自転車に識別番号を設けて管理することも可能である。
【００６７】
さらに上記の方法に加えて、コンピュータ４６によって利用者の使用状況を把握し、会費の支払いなどの際に割り引くなど、特定の利用者に特典を与えることも可能である。
【００６８】
【発明の効果】
本発明は、上述の通り構成されているので、折り畳み自転車の置き場を確保し、出し入れが容易で省スペースで置くことのできる折り畳み自転車の収納棚を提供することができる。また、上記した管理方法により、多くの折り畳み自転車を収納することができ、自転車をより多く使用することが可能となる。
【図面の簡単な説明】
【図１】  本発明の第１の実施形態における折り畳み自転車の収納棚の斜視図である。
【図２】  本発明の第１の実施形態における折り畳み自転車の収納棚の分解した状態での斜視図である。
【図３】  本発明の第１の実施形態における折り畳み自転車の収納棚に折り畳み自転車を載せる際の状態を示した斜視図である。
【図４】  本発明の第１の実施形態における折り畳み自転車の収納棚に折り畳み自転車を載せた状態での斜視図である。
【図５】  本発明の第１の実施形態における折り畳み自転車の収納棚の変形例の斜視図である。
【図６】  折り畳み自転車の収納棚に収納される折り畳み自転車の使用状態を示した斜視図である。
【図７】  折り畳み自転車の収納棚に収納される折り畳み自転車を折り畳んだ状態を示した斜視図である。
【図８】  折り畳み自転車の収納棚に収納される折り畳み自転車の折り畳んだ状態で、車輪固定部材を設けて車輪を固定した時の斜視図である。
【図９】  本発明の第２の実施形態における折り畳み自転車の収納棚の斜視図である。
【図１０】  本発明の折り畳み自転車の収納管理方法の、折り畳み自転車の収納棚の設置状態を示した模式図である。
【図１１】  本発明の第３の実施形態における折り畳み自転車の収納棚の斜視図である。
【図１２】  （ａ）は、本発明の第１の実施形態の錠部材の変形例における折り畳み自転車の収納棚の斜視図である。（ｂ）は、上記変形例に使用される折り畳み自転車を示した斜視図である。
【符号の説明】
１，２，３  折り畳み自転車の収納棚
１０  本体部
１１  移動棚板
１２ａ  連結部
１３ａ  係合部
１５，１６  錠部材
２３  底面載置部
２４  側面ガイド部（側壁部材）
２７  緊縛部材
１２０  折り畳み自転車
【図１】
0004129371.tif 000002
【図２】
0004129371.tif 000003
【図３】
0004129371.tif 000004
【図４】
0004129371.tif 000005
【図５】
0004129371.tif 000006
【図６】
0004129371.tif 000007
【図７】
0004129371.tif 000008
【図８】
0004129371.tif 000009
【図９】
0004129371.tif 000010
【図１０】
0004129371.tif 000011
【図１１】
0004129371.tif 000012
【図１２】
0004129371.tif 000013